(57)【特許請求の範囲】
【請求項１】
足の表側を覆う形状に整形されると共に足裏の外形に近似した底部開口縁を有する甲革と、この甲革が上部に接合された靴底とを備え、
前記甲革の底部開口縁における前部側であって足裏に接する面における前部側に、パン材が接合されて甲革の前部側が足先を包み込むように袋状に形成され、且つ前記パン材に、足裏の前部側に接して衝撃を吸収するための衝撃吸収部が設けられ、
前記パン材は、足の指先から土踏まずの前端に対応する長さと幅とを備える大きさで前記衝撃吸収部より大きい大きさに形成された布地を少なくとも２枚有し、
前記衝撃吸収部は、ジェルを有し、足の指先から土踏まずの前端に対応する長さと幅とを備える大きさに形成され、前記パン材の２枚の布地の間に挟みこまれた、履物。
【請求項２】
前記衝撃吸収部のジェルは、アスカーＦ硬度が３０以上９０以下とする、請求項１に記載の履物。
【請求項３】
前記衝撃吸収部のジェルは、アスカーＦ硬度が３０以上９０以下で、且つアスカＣ硬度が１０以上２５以下である、請求項１または２に記載の履物。
【請求項４】
前記パン材と前記衝撃吸収部とは相似形であり、
前記パン材は、前記衝撃吸収部を挟み込むための接着しろおよび／または縫いしろを確保するために前記衝撃吸収部より大きく形成された、２枚の布地を有する、請求項１ないし３のいずれかに記載の履物。
【請求項５】
前記パン材は、前記衝撃吸収部のジェルの効果を損なわない足裏における触感を維持する特徴を有する布地からなり、該布地の間にジェルを挟みこんでいる、請求項１ないし４のいずれかに記載の履物。
【請求項６】
前記パン材は、２枚の不織布が袋縫いされ、前記２枚の不織布の間に、前記ジェルを挟み込んでいる、請求項１ないし５のいずれかに記載の履物。
【請求項７】
前記衝撃吸収部は、汗等を吸水したとき加水分解して最初に履いたときの足先のフィット感が恒久的に持続され、且つ衝撃吸収性能が維持される前記ジェルを備える、請求項１ないし６のいずれかに記載の履物。
【請求項８】
前記衝撃吸収部は、２枚のフィルムによって挟み込まれた前記ジェルを備えている、請求項１ないし７のいずれかに記載の履物。
【請求項９】
前記衝撃吸収部は、前記ジェルと不織布等の布地との間において、前記ジェルの透過を防ぐための前記フィルムが挟みこまれた、請求項８に記載の履物。
【請求項１０】
前記フィルムは、前記ジェルの大きさと略平面同一形状で、前記ジェルの足裏における触感を維持する柔軟性を有する、請求項８または９に記載の履物。
【発明の詳細な説明】
【技術分野】
【０００１】
この発明は、歩行時に足にかかる衝撃を吸収できるようにした履物に関するものである。
【背景技術】
【０００２】
従来の靴は、例えば、図６に示すように、甲革５０１とは別体の靴底５０２内にスポンジ等の衝撃吸収部５０３を設けたものがある（特許文献１、特許文献２、特許文献３）。これによれば、歩行時に地面に設置するときの足にかかる衝撃を靴底に設けた衝撃吸収部５０３が吸収し、足への負担を軽減することができる。
【０００３】
【特許文献１】特開２００２−８５１０８号公報
【特許文献２】実開平６−７５０６号公報
【特許文献３】実開平６−７７５０６号公報
【発明の開示】
【発明が解決しようとする課題】
【０００４】
しかしながら、靴は、本底や中底等で構成される靴底５０２と、この靴底５０２に接合されて足の表側を覆う甲革５０１との上下の２パーツに分かれているため、靴底５０２は歩行時の足の動きに追従し難いことから、上記のものでは、足にかかる衝撃を十分に吸収させることが難しかった。
すなわち、歩行時には足の動きで靴が変形するため、靴底５０２が足裏にフィットした状態で足の動きに応じて追従し難いことから、靴底５０２に設けた衝撃吸収部５０３では足にかかる衝撃吸収が十分に行えなかった。
【０００５】
特に、パンプス等のヒールを設けた靴では、足先に重心が移動してくるため足先に大きな衝撃を受け易く、しかも足先の動きが他の部位よりも比較的大きいことから、足先でのフィット感（一体感）が不十分となって足先にかかる衝撃吸収が十分に行えなかった。
本発明は、上記事情に鑑みてなされたものであり、歩行時における足先の動きに追従させ易くすると共に、足先にかかる衝撃を十分に吸収することができる履物を実現する。
【課題を解決するための手段】
【０００６】
請求項１に係る発明の履物は、
足の表側を覆う形状に整形されると共に足裏の外形に近似した底部開口縁を有する甲革と、この甲革が上部に接合された靴底とを備え、
甲革の底部開口縁における前部側であって足裏に接する面における前部側に、パン材が接合されて甲革の前部側が足先を包み込むように袋状に形成され、且つパン材に、足裏の前部側に接して衝撃を吸収するための衝撃吸収部が設けられ、
パン材は、足の指先から土踏まずの前端に対応する長さと幅とを備える大きさで衝撃吸収部より大きい大きさに形成された布地を少なくとも２枚有し、
衝撃吸収部は、ジェルを有し、足の指先から土踏まずの前端に対応する長さと幅とを備える大きさに形成され、パン材の２枚の布地の間に挟みこまれたことを特徴とするものである。
上記構成より、上記パン材に衝撃吸収部が設けられているので、衝撃吸収部を足先に安定的に配置させることができる。
また、上記構成より、甲革の底部開口縁における前部側にパン材が接合されて甲革の前部側が足先を包み込むように袋状に形成されているので、歩行時における足先の動きに対する追従性をよくすることができる。さらに、上記パン材に衝撃吸収部が設けられているので、衝撃吸収部を足先に安定的に配置させることができる。
【０００７】
さらに、衝撃吸収部をジェルで構成することにより、スポンジで構成する場合と異なり長期の圧縮により凹んだ状態のままになるヘタリを大幅に低減することができる。これにより、長期使用に伴って衝撃吸収部のヘタリに伴うパン材のヘタリが防止され、足径の大幅なサイズ変化を来たすことがない。しかも、ジェルは、スポンジと異なり、汗等の水分を吸水し加水分解されて衝撃吸収性能が劣化することも少ない。
また、パン材および衝撃吸収部が、足裏の前部全体にかかる衝撃をより確実に吸収することができる。
【０００８】
請求項２に係る発明の履物は、上記の履物において、上記衝撃吸収部は、アスカーＦ硬度が３０以上９０以下とするものである。
これにより、足先と履物とのフィット感を良好に保持させることができると共に、足先での衝撃を十分に吸収させることができる。すなわち、アスカーＦ硬度が上記範囲未満となると、衝撃吸収部が軟らかくなりすぎてパン材の保形性が低下し、足先が動き易くなってフィット感が失われるおそれがあり、逆にアスカーＦ硬度が上記範囲を超えると、衝撃吸収部が硬くなりパン材での衝撃吸収が十分に行えなくなるおそれがあるからである。
【０００９】
請求項３に係る発明の履物は、上記の履物において、上記衝撃吸収部は、アスカーＦ硬度が３０以上９０以下で、且つアスカーＣ硬度が１０以上２５以下とするものである。
これにより、手の平くらいの面で押すとある程度硬く、指ほどの小さい面積で押すと軟らかく感じられる。従って、足先全体に対してはしっかり支え、足先の指等の出張った部位に対してはこれに応じて変形しソフトに支えることができ、フィット感を一層良好に保持して、特に足先の指等の出張った部位に対する衝撃を十分に吸収させることができる。
すなわち、アスカーＦ硬度について上記範囲内であれば、上記請求項４のものと同様に、足先と履物とのフィット感を良好に保持できると共に、足先の衝撃を十分に吸収させることができる。
また、アスカーＣ硬度について上記範囲内であれば、衝撃吸収部が足先の指等の出張った部位に応じて程よく変形することができ、フィット感と衝撃吸収性能とを一層向上することができる。すなわち、アスカーＣ硬度が上記範囲未満となると、衝撃吸収部が軟らかくなりすぎ、足先の出張った部位が沈み込み過ぎてフィット感が損なわれるおそれがあり、逆にアスカーＣ硬度が上記範囲を超えると、衝撃吸収は十分に行えるものの足先の出張った部位に応じた変形が不十分となってフィット感の一層の向上が難しくなるからである。
【００１０】
請求項４に係る発明の履物は、パン材と衝撃吸収部とは相似形であり、パン材は、衝撃吸収部を挟み込むための接着しろおよび／または縫いしろを確保するために衝撃吸収部より大きく形成された、２枚の布地を有する履物である。
これにより、パン材のヘタリが防止され、足径の大幅なサイズ変化を来たすことがない。
請求項５に係る発明の履物は、パン材は、衝撃吸収部のジェルの効果を損なわない足裏における触感を維持する特徴を有する布地からなり、該布地の間にジェルを挟みこんでいる、履物である。
これにより、パン材によって、足裏の不快感をなくすことが可能となる。
請求項６に係る発明の履物は、パン材は、２枚の不織布が袋縫いされ、２枚の不織布の間に、ジェルを挟み込んでいる、履物である。
これにより、２枚の不織布により足裏が直接ジェルに触れることがない。
請求項７に係る発明の履物は、衝撃吸収部は、汗等を吸水したとき加水分解して最初に履いたときの足先のフィット感が恒久的に持続され、且つ衝撃吸収性能が維持されるジェルを備える、履物である。
これにより、最初に履いたときの足先のフィット感が恒久的に持続され、しかも、衝撃吸収性能を十分に発揮することが可能となる。
請求項８に係る発明の履物は、衝撃吸収部は、２枚のフィルムによって挟み込まれたジェルを備えている履物であり、請求項９に係る発明の履物は、衝撃吸収部のジェルは、不織布等の布地との間において、ジェルの透過を防ぐためのフィルムが挟みこまれた履物であり、請求項１０に係る発明の履物は、フィルムは、ジェルの大きさと略平面同一形状で、ジェルの足裏における触感を維持する柔軟性を有する、履物である。
これにより、不織布等の布地との間にフィルムを挟むことで、不織布等の布地を通してジェルが透過することを防ぐことから、ジェルが透過した場合に、そのジェルによって足裏がべたつくといった不快感を惹き起こすようなことなくすことが可能となる。
【発明の効果】
【００１１】
この発明によれば、歩行時においても衝撃吸収部を足先に安定して配置させることができるので、足先にかかる大きな衝撃を確実に吸収することができ、足の疲れや痛み等を大幅に軽減することができる。
また、最初に履いたときのフィット感（一体感）が恒久的に持続されると共に、足先にかかる衝撃吸収を恒久的に行うことができる。
さらに、歩行時において、衝撃吸収部をより足先に安定して配置させることができるので、足裏の前部にかかる衝撃を確実に吸収することができ、足の疲れや痛み等を大幅に軽減することができる。
【００１２】
請求項２に係る発明によれば、更に、足先と履物とのフィット感を良好に保持することができると共に、足先の衝撃を十分に吸収させることができる。
【００１３】
請求項３に係る発明によれば、更に、足先全体に対してはしっかり支え、足先の指等の出張った部位に対してはこれに応じて変形しソフトに支えることができるので、フィット感を一層良好に保持して、特に足先の指等の出張った部位に対する衝撃を十分に吸収させることができる。
【００１４】
請求項４に係る発明によれば、パン材のヘタリが防止され、足径の大幅なサイズ変化を来たすことがない。
請求項５に係る発明によれば、、パン材によって、足裏の不快感をなくすことが可能となる。
請求項６に係る発明によれば、２枚の不織布により足裏が直接ジェルに触れることがない。
請求項７に係る発明によれば、最初に履いたときの足先のフィット感が恒久的に持続され、しかも、衝撃吸収性能を十分に発揮することが可能となる。
請求項８ないし１０に係る発明によれば、不織布等の布地との間にフィルムを挟むことで、不織布等の布地を通してジェルが透過することを防ぐことから、ジェルが透過した場合に、そのジェルによって足裏がべたつくといった不快感を惹き起こすようなことなくすことができる。
【発明を実施するための最良の形態】
【００１５】
以下に、本発明の実施の形態を図面を参照しながら説明する。
図１、図２に示すように、本発明の実施の形態による靴は、足の表側を覆う形状に整形された甲革１（アッパー）と、この甲革１が上部に接合させる靴底２（ソール）とを備える。
靴底２は、足裏の外形に近似した外形を有する板状の本底２１と、本底２１裏面の踵部に設けたブロック状のヒール部２２と、本底２１上面の後部側に接合されたシート状の半中底２３とで構成される。ヒール部２２は、本底２１と別体となっており、本底２１に接着剤やクギ等で接合されるが、本底２１と一体形成されてもよい。これら本底２１やヒール部２２は、合成樹脂や木材等から形成される。半中底２３は、踵から土踏まず前端くらいまでの大きさを有し、甲革１の底部開口縁１２を吊り込んで接着または縫合等により本底２１上面に接合される。この半中底２３は、布材、革材等で形成される。
【００１６】
甲革１は、天然皮革または合成皮革の革を足の表側形状に沿って整形された部材であり、上部には足入れ用の上部開口縁１１を有し、下部には足裏の外形に近似した底部開口縁１２を有する（図２を参照）。また、甲革１は、底部開口縁１２の前部側にシート状のパン材３が袋縫いされ、この甲革１の前部側が足先を包み込むように袋状に形成されている。すなわち、図３に示すように、この甲革１は、表地１３と裏地１４とを有し、上記パン材３はその外周縁が裏地１４の外周縁と縫合される。そして、パン材３は、足裏における足の指先から土踏まずの前端に対して接することとなる。
なお、このように甲革１の前部側を袋縫いする製靴方法としては、例えば、ボロネーゼ製法が挙げられる。
【００１７】
そして、上記構成の甲革１は、底部開口縁１２を吊り込んで本底２１上部に接合される。すなわち、甲革１の底部開口縁１２における後部側は、内側に折り曲げた接合代を本底２１の外周縁と半中底２３の外周縁との間に挟持させて接着または縫合等され、また、その前部側は、表革を内側に折り曲げた接合代をパン材３の下面と一緒に本底２１に接着または縫合等される。つまり、履物の本底の足裏に接する面における前部側にパン材が設けられることとなる。
【００１８】
ところで、上記甲革１の前部側に袋縫いしたパン材３は、図４に示すように、少なくとも足裏における足の指先から土踏まずの前端に対応する長さと幅とを備える大きさを有する２枚の不織布等の布地３２、３３の間にジェル３１を挟み、２枚の不織布等の布地３２、３３の周縁部に、たとえば、接着剤等を塗布し貼り合わすことで作製される。また、ジェル３１も、足裏における足の指先から土踏まずの前端に対応する長さと幅とを備える大きさを有する。つまり、２枚の不織布等の布地３２、３３とジェル３１とは相似形であり、また、２枚の不織布３２、３３は、ジェル３１を挟み込むための接着しろ、または縫いしろを確保する大きさだけジェル３１よりも大きい。そして、パン材３は、このジェル３１によって衝撃吸収部３０が設けられたものであり、厚さ約５ｍｍで作製される。このジェル３１は、２枚のフィルム間にジェル３１素材を挟持させたものが使用される（例えば、イイダ産業株式会社製の品番「Ｕ−ＮＢＣ−４５」）。
また、この不織布等の布地３２、３３に用いられる不織布は、たとえば、スパンポンド法、ニードルパンチ法およびメルトブロー法等により製造されるが、強度の点から、メルトブロー法の不織布を用いることが好ましい。
また、不織布等の布地３２は、ジェル３１の効果を損なうことなく、その効果による足裏における触感を維持する特徴を有するものにより作製されることが好ましい。
【００１９】
また、パン材３は、図５に示すように、ジェル３１素材を挟持するためのフィルム３４として伸縮性の特徴を有するフィルム３４を用いることが好ましい。このフィルム３４は、ジェル３１の大きさと略同平面形状で作製される。また、フィルム３４は、ジェル３１の効果による足裏における触感を維持する特徴を有するものを用いることが好ましく、たとえば、ポリエステルウレタンにより作製される。
【００２０】
一方、歩行時に使用者の体重以上の重量が繰り返し加わって圧縮される結果、衝撃吸収部３０が圧縮されたままヘタってしまうと、これに伴ってパン材３も同様にヘタってしまうことから、足先の幅回りのサイズ（足径）が大きくなってしまう。しかもヘタると衝撃吸収性能も大幅に低下してしまう。従って、一旦、パン材３がヘタってしまうと、足先でのフィット感（一体感）がなくなり、衝撃吸収性能も極端に低下してしまう。そこで、このような観点からすれば、上記衝撃吸収部３０としては、スポンジやエラストマー等よりも、ジェル３１が好ましく使用される。
【００２１】
すなわち、衝撃吸収部３０をジェル３１で構成することにより、スポンジで構成する場合と異なり長期の圧縮により凹んだ状態のままになるヘタリが大幅に低減される。従って、ジェル３１は、スポンジに比べて圧縮に対する回復性（復元性）に優れる点で有利である。そのため、ジェル３１を使用することで長期使用によって衝撃吸収部３０のヘタリに伴うパン材３のヘタリが防止され、足径の大幅なサイズ変化を来たすことがない。しかも、ジェル３１は、スポンジと異なり、汗等を吸水し加水分解されて衝撃吸収性能が劣化することが少ない点でも有利である。その結果、最初に履いたときの足先のフィット感が恒久的に持続され、しかも、衝撃吸収性能も十分に発揮される。
【００２２】
また、上記衝撃吸収部３０を構成するジェル３１は、アスカーＦ硬度（手の平くらいの面積で押圧したときの硬度）が３０以上９０以下で、且つアスカーＣ硬度が１０以上２５以下のものが好ましく使用される。なお、アスカーＦ硬度は、概ね手の平くらいの広い面積で押圧したときの硬度であり、アスカーＣ硬度は、概ね指くらいの狭い面積で押圧したときの硬度であり、いずれもゴム弾性体等の硬度の目安となるものである。
【００２３】
これにより、手の平くらいの面で押すとある程度硬く、指ほどの小さい面積で押すと軟らかく感じられる。従って、足先全体に対してはしっかり支え、足先の指等の出張った部位に対してはこれに応じて変形しソフトに支えることができ、フィット感を一層良好に保持して、特に足先の指等の出張った部位に対する衝撃吸収を十分に発揮させることができる。
【００２４】
アスカーＦ硬度について上記範囲内であれば、足先と靴とのフィット感を良好に保持できると共に、足先の衝撃吸収を十分に発揮させることができる。すなわち、アスカーＦ硬度が上記範囲未満となると、衝撃吸収部３０が軟らかくなりすぎてパン材３の保形性が低下し、足先が動き易くなってフィット感が失われるおそれがあり、逆にアスカーＦ硬度が上記範囲を超えると、衝撃吸収部３０が硬くなりパン材３での衝撃吸収が十分に行えなくなるおそれがあるからである。
【００２５】
また、アスカーＣ硬度について上記範囲内であれば、衝撃吸収部３０が足先の指等の出張った部位に応じて程よく変形することができ、フィット感と衝撃吸収性能とを一層向上することができる。すなわち、アスカーＣ硬度が上記範囲未満となると、衝撃吸収部３０が軟らかくなりすぎ、足先の出張った部位が沈み込みすぎてフィット感が失われるおそれがあり、逆にアスカーＣ硬度が上記範囲を超えると、衝撃吸収は十分に行えるものの足先の出張った部位に応じた変形が不十分となってフィット感の一層の向上が難しくなるからである。
【００２６】
ジェル３１は、シリコーン樹脂、ポリウレタン樹脂、アクリルアミドジェル、熱可塑性エラストマー(たとえば、スチレンブロックコポリマー；ＳＢＳ、スチレンイソプレンスチレンブロックコポリマー；ＳＩＳ等)、エポキシ樹脂(可塑剤を含む)、デンプンベースジェル（アクリロニトリルとアクリル酸とのコポリマー）等が存するが、耐摩耗性、引裂き強さ、伸び、粘性と弾性バランス、コストの点から、ポリウレタン樹脂が好ましい。
【００２７】
ポリウレタン樹脂は、ポリオール、イソシアネート等からなる。
ポリオールとしては、ポリエーテル系（ポリオキシプロピレングリコール；ＰＰＧ、ポリエチレングリコール；ＰＥＧ、ポリテトラメチレンエーテルグリコール；ＰＴＭＥＧ）、ポリエステル系（アジペート系、ポリカプロラクトン、芳香族系、ポリカーボネート系）、ポリオレフィン系、アクリル系等が存し、コスト、耐水性の点から、ポリエーテル系が好ましい。
また、イソシアネートとしては、ＴＤＩ（トリレンジイソシアネート）、ＭＤＩ（ジフェニルメタンジイソシアネート）、ＨＤＩ（ヘキサメチレンジイソシアネート）、ＮＤＩ（ナフタレンジイソシアネート）、ＩＰＤＩ（イソホロンジイソシアネート）、及びこれらの変性イソシアネート等が存し、コスト、取り扱いやすさ、反応の安定性の点から、トリレンジイソシアネート系を用いるのが好ましい。
【００２８】
ポリオールとイソシアネートの割合により、アスカーＦ硬度が決定される。
たとえば、ポリオールとして分子量２０００、１００００のポリオキシプロピレングリコール（ＰＰＧ）を用い、イソシアネートとしてトリレンジイソシアネート系変性イソシアネートを用いる場合、以下の配分量が用いられる。
本発明においては、ポリオールは、分子量２０００および１００００のポリオキシプロピレングリコール（ＰＰＧ）が１：１の重量比で配合されている。よって、分子量２０００および１００００のポリオキシプロピレングリコール（ＰＰＧ）が、それぞれ１０〜２０重量部、より好ましくは１２．５重量部以上であり、１５重量部以下を用いる。分子量１０００のポリオキシプロピレングリコール（ＰＰＧ）が２０重量部以下では、アスカーＦ硬度が９０を超え、衝撃吸収が十分に発揮されず、４０重量部以上では、アスカーＦ硬度が３０未満となり、衝撃吸収部がやわらかくなりすぎ、パン材の保形性が低下するからである。
【００２９】
また、イソシアネートは、トリレンジイソシアネート系変性イソシアネート（ＮＣＯ％＝３％）を用いる場合、３５〜５０重量部、より好ましくは４０重量部以上であり、４５重量部以下である。
５０重量部以上では、アスカーＦ硬度が９０を超え、衝撃吸収が十分に発揮されず、３５重量部以下では、アスカーＦ硬度が３０未満となり、衝撃吸収部がやわらかくなりすぎ、パン材の保形性が低下するからである。
【００３０】
ポリオールとイソシアネートにより、ポリウレタンとするには触媒を用いるが、触媒としてはアミン系、金属系（ニッケル、スズ、亜鉛、カドミウム、マグネシウム、水銀）が使用されるが、柔軟性、反応の制御の点から、金属系（たとえば、スズ系化合物）を用いるのが好ましい。
また、触媒の使用量としては、ポリウレタン（ポリオール+イソシアネート）１００に対して０．１〜１重量部を用いるの好ましい。硬化性と耐久性を適度な範囲とするためである。
【００３１】
ポリウレタン樹脂には、可塑剤が含まれていてもよい。可塑剤としては、脂肪族、指環族、芳香族系（ジブチルフタレート、ジヘプチルフタレート、ジオクチルフタレート、ジイソデシルフタレート、ジトリデシルフタレタレート、ブチルベンジルフタレート、ブチルフタリルブチルグリコレート）等が存するが、相溶性の点から、芳香族系を用いるのが好ましく、特には、ジブチルフタレートが好ましい。
しかしながら、最も良いのは可塑剤を用いないことである。それは、可塑剤がパン材３の不織布３２、３３に移行し、パン材３の機能を低下させるためである。可塑剤を用いる場合は、パン材３を可塑剤の透過を防ぐ、伸縮性のあるフィルムで覆う。
また、可塑剤の使用量としては、ポリウレタン（ポリオール+イソシアネート）１００に対して０〜５０重量部を用いるのが好ましい。アスカー硬度を適度な範囲とするためである。
【００３２】
また、ポリウレタン樹脂には、着色剤、老化防止剤（酸化防止剤、紫外線吸収剤、光安定剤、加水分解防止剤）、消泡剤、難燃剤等が含まれていても良い。
【００３３】
以上の構成を有する上記靴の製造は、従来同様の製法により作製できるので、以下では簡単に説明する。まず、甲革１は、素材の革を所定の型紙に合わせて裁断し、この裁断した革を足形をした木型に合わせて形状を整えた後、予め用意しておいた衝撃吸収部３０を設けたパン材３を底部開口縁１２の前部側における裏地１４に袋縫いし、この前部側を袋状とすることで、甲革１が出来上がる。次いで、この甲革１の底部開口縁１２を内側に折り曲げた接合代を設け、この甲革１を予め成形により作製したヒール部２２付きの本底２１の上部に配置し、後部側は、接合代を本底２１の外周縁と半中底２３の外周縁との間に挟持させて接着または縫合等し、また、その前部側は、甲革１の表地１３を内側に折り曲げた接合代と一緒にパン材３の下面を本底２１に接着または縫合することで、上記靴が完成する。
【００３４】
以上のように、上記実施の形態による靴によれば、甲革１の底部開口縁１２における前部側にパン材３が接合されて甲革１に前部側が足先を包み込むように袋状に形成されているので、歩行時における足先の動きに対する追従性をよくすることができる。そして、上記パン材３は、足裏における足の指先から土踏まず前端に対応する長さと幅とを備えた衝撃吸収部３０が設けられているので、衝撃吸収部３０を足先、たとえば、足裏における足の指先から土踏まず前端に対して安定的に配置させることができる。従って、足先にかかる大きな衝撃を確実に吸収することができ、足の疲れや痛みを大幅に軽減することができる。
【００３５】
また、衝撃吸収部３０をジェル３１で構成することにより、スポンジで構成する場合と異なり長期の圧縮により凹んだ状態のままになるヘタリがほとんどない。これにより、長期使用に伴って衝撃吸収部３０のヘタリによるパン材３のヘタリが防止され、足径の大幅なサイズ変化を来たすことが少ない。しかも、ジェル３１は、スポンジと異なり、汗等を吸水し加水分解されて衝撃吸収性能が劣化することも少ない。従って、最初に履いたときのフィット感が恒久的に持続されると共に、足先にかかる衝撃吸収を恒久的に行うことができる。
【００３６】
また、不織布等の布地３２を用いることで、足裏に対して直接ジェル３１が触れることがなく、更に、ジェル３１と不織布等の布地３２との間にフィルム３４を挟むことで、不織布等の布地３２を通してジェル３１が透過することを防ぐことから、ジェル３１が透過した場合に、そのジェル３１によって足裏がべたつくといった不快感を惹き起こすようなことをなくすことができる。
【００３７】
また、上記衝撃吸収部３０としてのジェル３１を、アスカーＦ硬度が３０以上９０以下で、且つアスカーＣ硬度が１０以上２５以下とするものを選択することで、足先全体に対してはしっかり支え、足先の指等の出張った部位に対してはこれに応じて変形しソフトに支えることができ、フィット感を一層良好に保持して、特に足先の指等の出張った部位に対する衝撃吸収を十分に発揮させることができる。
【００３８】
次に、ジェルとスポンジについての圧縮回復性試験を行ったので、以下にその試験の概要を説明する。
＜試料＞
（１）ジェル（イイダ産業株式会社製の品番「Ｕ−ＮＢＣ−４５」の３ｍｍ厚のシート  を重ね合せて１２ｍｍ厚としたもの）
（２）スポンジ（株式会社ロジャースイノアック製の品番「Ｈ−３２」の２ｍｍ厚のシ  ートを重ね合せて１２ｍｍ厚としたもの）
【００３９】
＜試験方法＞
各試料を圧縮（５時間）と開放（１時間）を８回繰り返した後、３０分、２４時間、３６時間、放置したときの厚みの歪み割合（圧縮永久歪み（％））を測定した（表１を参照）。なお、圧縮は試料の厚みが当初の１／４（２５％）となる状態とした。
【００４０】
【表１】
0003713510.tif 000002
【００４１】
＜評価＞
以上の結果からも明らかなとおり、いずれも時間経過するに従って圧縮永久歪みが小さくなるが、開放当初からジェルの方がスポンジに比して圧縮永久歪みが小さく、ヘタリが少ないことが分かった。
なお、上記各試料に使用したジェル（イイダ産業株式会社製の品番「Ｕ−ＮＢＣ−４５」）、スポンジ（株式会社ロジャースイノアック製の品番「Ｈ−３２」）の２０ｍｍ厚のもののアスカーＦ硬度計による硬度、アスカーＣ硬度計による硬度は、それぞれ以下のとおりである（表２を参照）。
【００４２】
【表２】
0003713510.tif 000003
【００４３】
すなわち、上記ジェル、上記スポンジは、ともにアスカーＦ硬度が３０以上９０以下という条件を満たすことから、足先と靴とのフィット感を良好に保持できると共に、足先の衝撃を十分に吸収させることができる。
【００４４】
一方、上記ジェルは、加えて、アスカーＣ硬度が１０以上２５以下という条件をも満たすことから、足先全体に対してはしっかり支え、足先の指等の出張った部位に対してはこれに応じて変形しソフトに支えることができ、フィット感を一層良好に保持して、特に足先の指等の出張った部位に対する衝撃吸収を十分に発揮させることができる。
【００４５】
なお、上記実施の形態による靴は、ヒールを設けたパンプスシューズを挙げて説明したが、ブーツなどに適用してもよいし、また、ヒールを設けない靴に適用しても良い。さらには、婦人用、紳士用のいずれの靴に適用してもよい。さらにまた、フォーマルシューズに限らず、ジョギングシューズ等の各種運動靴に適用してもよく、サンダルもしくはスリッパ等の履物にも適用してもよい。また、甲革１（アッパー）や靴底２（ソール）の材質は、上記したものに限らず、種々の材質が使用可能である。
【図面の簡単な説明】
【００４６】
【図１】実施の形態による靴の構成を示す断面図である。
【図２】実施の形態による靴の構成を示す分解斜視図である。
【図３】甲革において前部側の裏地にパン材が袋縫いされた状態を示す平面図である。
【図４】パン材の構成を示す斜視図である。
【図５】図４とは異なるパン材の構成を示す斜視図である。
【図６】従来の衝撃吸収性能を示した靴の構造を示す断面図である。
【符号の説明】
【００４７】
１  甲革（アッパー）
２  靴底（ソール）
３  パン材
１１  上部開口縁
１２  底部開口縁
１３  表地
１４  裏地
２１  本底
２２  ヒール部
２３  半中底
３０  衝撃吸収部
３１  ジェル
【図１】
0003713510.tif 000004
【図２】
0003713510.tif 000005
【図３】
0003713510.tif 000006
【図４】
0003713510.tif 000007
【図５】
0003713510.tif 000008
【図６】
0003713510.tif 000009